(57)【要約】【課題】  少なくとも一部に角部を有する有角鎖素子を含む鎖を提供する。【解決手段】鎖１は、角部２１を有する有角鎖素子２０と、角部を有しない無角鎖素子３０とを含む。有角鎖素子２０は、その外形全体が環状に形成されるとともに、環状が一部途切れた離間部２３を備える。離間部２３は二つの角部２１Ａ，２１Ｂのいずれか一方に設けられる。離間部２３に臨む環状の端部には、離間部２３に向かって径が小さくなる先鋭部２４が形成される。無角鎖素子３０は、その外形全体が環状に形成されるとともに、環状が一部途切れた離間部３３を備える。離間部３３は一方の直線部３１に設けられる。離間部３３に臨む環状の端部には、離間部３３に向かって径が小さくなる先鋭部３４が形成される。【選択図】図１
0003198318.tif 000002
【実用新案登録請求の範囲】
【請求項１】
複数の鎖素子が連結された鎖であって、
前記鎖素子は、少なくともその一部に角部が形成された有角鎖素子を含み、
前記鎖素子は、環状に形成されるとともに、その一部が途切れた離間部と、前記離間部に向かって径が小さくなる先鋭部とを備え、
前記有角鎖素子の前記離間部は、前記角部に設けられることを特徴とする鎖。
【考案の詳細な説明】
【技術分野】
【０００１】
この考案は、複数の鎖素子を互いに連結して構成される鎖に関し、特に、一部に角部を有する鎖素子を用いた鎖に関する。
【背景技術】
【０００２】
従来、独立した鎖素子を互いに連結して形成することができる鎖が知られている。鎖素子は環状に形成されるとともに、その一部には開口が設けられ、互いの開口を対向させることによって、鎖素子を互いに連結し、鎖を形成することができる。
【先行技術文献】
【特許文献】
【０００３】
【特許文献１】実開平５−３００５号公報
【考案の概要】
【考案が解決しようとする課題】
【０００４】
しかしながら、特許文献１によれば、鎖素子は角部の無い長円形であり、これらを連結した場合には模様が単調な鎖になり、意匠性に劣るという問題がある。
【０００５】
この考案では、少なくとも一部に角部を有する有角鎖素子を含む鎖を提供することを課題とする。
【課題を解決するための手段】
【０００６】
この考案は、複数の鎖素子が連結された鎖であって、前記鎖素子は、少なくともその一部に角部が形成された有角鎖素子を含み、前記鎖素子は、環状に形成されるとともに、その一部が途切れた離間部と、前記離間部に向かって径が小さくなる先鋭部とを備え、前記有角鎖素子の前記離間部は、前記角部に設けられることを特徴とする鎖。
【０００７】
この考案において、角部とは、直線と直線とが交差した部分をいうほか、実際には弧を描いているが、鎖素子全体の形状に照らしてみれば交差しているに等しいものも含む。また、環状とは、離間部によってその一部が途切れているが、全体として環状になっているものをいう。
【考案の効果】
【０００８】
この考案によれば、鎖を構成する鎖素子は、少なくとも一部に、角部を有する有角鎖素子を含むので、有角鎖素子をハート形や星形などの形状にすることによって豊富なバリエーションの鎖素子とすることができる。これら鎖素子を連結することによって、意匠性に優れた鎖を得ることができる。
【図面の簡単な説明】
【０００９】
【図１】鎖の一実施形態を示した斜視図。
【図２】鎖素子のひとつである有角鎖素子の正面図。
【図３】図２の有角素子のＩＩＩ−ＩＩＩ線断面図。
【図４】鎖素子のひとつである無角鎖素子の正面図。
【図５】図４の無角素子の右側面図。
【考案を実施するための形態】
【００１０】
図１を参照すれば、鎖１は、角部２１を有する有角鎖素子２０と、角部を有しない無角鎖素子３０とを含む。この考案において、有角鎖素子２０の角部２１は、角部２１Ａ，２１Ｂを有するハート形であり、無角鎖素子３０は、二つの直線部３１とこれら直線部３１を繋ぐ二つの曲線部３２とを有する長円である。有角鎖素子２０と無角鎖素子３０は、交互に連結され鎖１を形成する。
【００１１】
図２を参照すれば、有角鎖素子２０は、その外形全体が環状に形成されるとともに、環状が一部途切れた離間部２３を備える。離間部２３は二つの角部２１Ａ，２１Ｂのいずれか一方に設けられる。この実施形態において、角部２１は、内角が鋭角となる角部２１Ａと、内角が鈍角となる角部２１Ｂとを備え、離間部２３は角部２１Ｂに位置するようにしている。なお、離間部２３が設けられた角部２１Ｂは、有角鎖素子２０を構成する環状の端部が離間しているため実際には角を形成していないが、全体として角部と認識される部分であり、この考案の角部２１に含まれる。
【００１２】
離間部２３に臨む環状の端部には、離間部２３に向かって径が小さくなる先鋭部２４が形成される。図３を参照すれば、先鋭部２４は、対向する二つの面２５，２５を有し、これら面２５，２５の間隔が離間部２３に向かって狭くなるようにしている。先鋭部２４には、二つの面２５，２５が当接して形成された軸線２６を備える。
【００１３】
図４を参照すれば、無角鎖素子３０は、その外形全体が環状に形成されるとともに、環状が一部途切れた離間部３３を備える。離間部３３は一方の直線部３１に設けられる。離間部３３に臨む環状の端部には、離間部３３に向かって径が小さくなる先鋭部３４が形成される。
図５を参照すれば、先鋭部３４は、対向する二つの面３５，３５を有し、これら面３５，３５の間隔が離間部３３に向かって狭くなるようにしている。先鋭部３４には、二つの面３５，３５が当接して形成された軸線３６を備える。
【００１４】
上記のような有角鎖素子２０と無角鎖素子３０とは、互いの離間部２３，３３とを対向させ、軸線２６と軸線３６とが直交するようにスライドさせることによって連結し、鎖１とすることができる。また、鎖１の有角鎖素子２０と無角鎖素子３０との連結を外そうとした場合には、同様に離間部２３と離間部３３とを対向させ、これらをスライドさせる。このように複数の鎖素子を連結し、所望の長さの鎖１とすることができる。したがって、鎖１は特別な器具等を使用することなく、ユーザーが自ら容易に形成することができる。また、有角鎖素子２０と無角鎖素子３０とを組み合わせることによって、様々なバリエーションの模様を作ることができ、意匠性に優れた鎖１を得ることができる。
【００１５】
このような鎖１の使用状態において、無角鎖素子３０は、その曲線部３２が有角鎖素子２０に接触する。すなわち、有角鎖素子２０の離間部２３と、無角鎖素子３０の離間部３３が互いに接触することがない。したがって、不用意に鎖素子の連結が外れるのを防止することができる。また、一時的に離間部２３と離間部３３とが互いに対向したとしても、先鋭部２４，３４の軸線２６，３６が直交してスライドしなければ連結が外れることはなく、これらがスライドするような使用態様にはならないのが一般的である。
【００１６】
有角鎖素子２０において、内角が鈍角となる角部２１Ｂに離間部２３を設けることによって、有角鎖素子２０と無角鎖素子３０との使用状態における連結をより一層外れにくくすることができる。すなわち、角部２１Ｂが鈍角となっているので、無角鎖素子３０は角部２１Ｂとの接触状態を保持しにくく、離間部３３が角部２１Ｂに対向しにくいからである。
【００１７】
この実施形態において、有角鎖素子２０はハート形を有しているが、この形状に限られるものではなく、角部を有しているものであれば、様々な形状を採用することができる。例えば、三角形や四角形等の多角形や、さらに複雑な星形等とすることも可能である。また、離間部２３は角部２１Ｂに設けているが、角部２１Ａに設けることもでき、他の形状の鎖素子を採用した場合であっても、いずれかひとつの角部に離間部２３を設ければよい。
【００１８】
有角鎖素子２０と無角鎖素子３０とを交互に連結する態様について説明しているが、必ずしも交互に並ばなくてもよいし、有角鎖素子２０のみを連結するようにしてもよい。先鋭部２４，３４はそれぞれ二つの平面によって構成されるが、この形状に限定されるものではなく、例えば、先鋭部２４，３４の一部または全部が錐形を呈しているものであってもよい。鎖素子は、樹脂、金属、木材等、この技術分野において知られる通常の材質のものを用いることができる。
【符号の説明】
【００１９】
１    鎖
２０    有角鎖素子
２１    角部
２１Ａ  角部
２１Ｂ  角部
２３    離間部
２４    先鋭部
【図１】
0003198318.tif 000003
【図２】
0003198318.tif 000004
【図３】
0003198318.tif 000005
【図４】
0003198318.tif 000006
【図５】
0003198318.tif 000007